(57)【特許請求の範囲】
【請求項１】
ベッド状態データをネットワークに無線送信し、該ネットワークからメッセージを無線受信するよう動作可能な無線通信回路とベッド枠を有する病院ベッドであって、該ベッドは関連するマットレスを有し、該ベッド状態データは該マットレスの少なくとも１つの特性と該ベッド枠の少なくとも１つの特性に関する情報を含み、前記ネットワークが前記病院ベッドから無線受信したベッド状態データにより、前記ネットワークのコンピュータ装置が、前記ベッド枠の前記少なくとも１つの特性の状態に基づいて、前記マットレスの特性を制御するメッセージを送信することを特徴とする病院ベッド。
【請求項２】
前記無線通信回路は更に、医療施設内における該病院ベッドの位置を示すベッド位置データを前記ネットワークに無線送信するよう動作可能である請求項１に記載の病院ベッド。
【請求項３】
前記ベッド位置データは、前記医療施設の部屋内の壁に装着されたユニットから受信したデータを含む請求項２に記載の病院ベッド。
【請求項４】
前記無線通信回路は更に、患者体重データを前記ネットワークに無線送信するよう動作可能である請求項１に記載の病院ベッド。
【請求項５】
前記無線通信回路は、遠隔にあるコンピュータから介護者が行った問合せに応答して前記患者体重データを無線送信するよう動作可能である請求項４に記載の病院ベッド。
【請求項６】
前記無線通信回路は更に、該病院ベッドの患者位置モニターが複数のモードのうちどのモードで動作しているかを示す患者位置モードデータを前記ネットワークに無線送信するよう動作可能である請求項１に記載の病院ベッド。
【請求項７】
該病院ベッドの前記患者位置モニターの第１モードが第１の量の患者動きを検出する動きモードであり、該患者位置モニターの第２モードが該第１の量より大きい第２の量の患者動きを検出する退出開始モードであり、該患者位置モニターの第３モードが該第２の量より大きい第３の量の患者動きを検出する退出モードであり、該患者位置モニターの第４モードが該患者が該病院ベッドの縁に座っていることを検出する座モードである請求項６に記載の病院ベッド。
【請求項８】
前記無線通信回路は更に、前記患者位置モニターの前記モードのうち選択されたモードに関連する条件を超えたことを示す警報データを前記ネットワークに無線送信するよう動作可能である請求項７に記載の病院ベッド。
【請求項９】
前記ベッド状態データは、介護者が１つ以上のベッド制御を使用して１つ以上のベッドモーターをロックし患者が該ベッドモーターを動作させることができないことを示すために前記ネットワークに無線送信されるロックアウトデータを含む請求項１に記載の病院ベッド。
【請求項１０】
前記ベッド状態データは、該病院ベッドの前記マットレスの寝返り介助特性が使用されているか否かを示すために前記ネットワークに無線送信される寝返り介助データを含む請求項１に記載の病院ベッド。
【請求項１１】
前記ベッド状態データは、該病院ベッドの前記マットレスの最大膨張特性が使用されているか否かを示すために前記ネットワークに無線送信される最大膨張データを含む請求項１に記載の病院ベッド。
【請求項１２】
前記ベッド状態データは、該病院ベッドの前記マットレスの踵浮モードが使用されているか否かを示すために前記ネットワークに無線送信される踵浮データを含む請求項１に記載の病院ベッド。
【請求項１３】
前記ベッド状態データは、該病院ベッドのマットレスの面治療特性が使用されているか否かを示すために前記ネットワークに無線送信される面治療データを含む請求項１に記載の病院ベッド。
【請求項１４】
前記面治療データは、低空気ロス、連続横回転、交互圧力、順次圧力、パーカッション、及びバイブレーションの面治療タイプ群のうち１つ以上が使用されているか否かを示す請求項１３に記載の病院ベッド。
【請求項１５】
前記無線通信回路は更に、該病院ベッドが清掃を必要としていることを示す維持管理データを前記ネットワークに無線送信するよう動作可能である請求項１に記載の病院ベッド。
【請求項１６】
前記ベッド状態データは、該病院ベッドのバッテリーの状態を示すために前記ネットワークに無線送信されるバッテリーデータを含む請求項１に記載の病院ベッド。
【請求項１７】
前記バッテリーデータは、バッテリーが該病院ベッドに在る、バッテリーが該病院ベッドにない、該バッテリーは完全に充電されている、及び該バッテリーは充電が必要である、のうち１つ以上を示す請求項１６に記載の病院ベッド。
【請求項１８】
前記ベッド状態データは、該病院ベッドがＡＣ電源に接続されているか否かを示すために前記ネットワークに無線送信されるＡＣ電力データを含む請求項１に記載の病院ベッド。
【請求項１９】
前記ベッド状態データは、該病院ベッドがサービスを必要としていることを示すために前記ネットワークに無線送信されるサービスデータを含む請求項１に記載の病院ベッド。
【請求項２０】
前記ベッド状態データは、該病院ベッドの頭部を急速に下げるよう該病院ベッドのＣＰＲリリースハンドルが作動されたことを示すために前記ネットワークに無線送信されるＣＰＲリリースデータを含む請求項１に記載の病院ベッド。
【請求項２１】
前記ベッド状態データは、該病院ベッドの頭部の傾き角度を示すために前記ネットワークに無線送信されるヘッド角データを含む請求項１に記載の病院ベッド。
【請求項２２】
前記ヘッド角データは、該病院ベッドの別の部分に対する前記頭部の傾き角度を示す請求項２１に記載の病院ベッド。
【請求項２３】
前記ヘッド角データは、水平または垂直に対する該病院ベッドの前記頭部の傾き角度を示す請求項２１に記載の病院ベッド。
【請求項２４】
該病院ベッドが前記ネットワークと無線通信を確立したか否かを示すインジケータを更に備える請求項１に記載の病院ベッド。
【請求項２５】
前記インジケータは該病院ベッドのサイドレール上の発光ダイオードにより構成される請求項２４に記載の病院ベッド。
【請求項２６】
前記インジケータは該病院ベッドのベース枠上の発光ダイオードにより構成される請求項２４に記載の病院ベッド。
【請求項２７】
前記ネットワークに結合された遠隔にあるコンピュータ装置において、該病院ベッドに対して警報条件のテンプレートが設定されたか否かを示すインジケータを更に備える請求項１に記載の病院ベッド。
【請求項２８】
前記インジケータは該病院ベッドのサイドレール上の発光ダイオードにより構成される請求項２７に記載の病院ベッド。
【請求項２９】
前記インジケータは該病院ベッドのベース枠上の発光ダイオードにより構成される請求項２７に記載の病院ベッド。
【請求項３０】
前記ネットワークから該病院ベッドにダウンロードした新しいファームウェアでファームウェアを書き換え可能な請求項１に記載の病院ベッド。
【請求項３１】
前記ファームウェアは該病院ベッドにファイル転送プロトコル（ＦＴＰ）に従ってダウンロードされる請求項３０に記載の病院ベッド。
【請求項３２】
前記無線通信回路は、宛先である遠隔にあるコンピュータのＩＰアドレスを含むメッセージを送信するよう動作可能である請求項１に記載の病院ベッド。
【請求項３３】
前記無線通信回路は、該病院ベッドのＩＰアドレスを含むメッセージを送信するよう動作可能である請求項１に記載の病院ベッド。
【請求項３４】
前記無線通信回路は、該病院ベッドのＭＡＣアドレスを含むメッセージを送信するよう動作可能である請求項１に記載の病院ベッド。
【請求項３５】
前記無線通信回路は、ＸＭＬメッセージを送信するよう動作可能である請求項１に記載の病院ベッド。
【請求項３６】
前記無線通信回路は、送信前に前記ＸＭＬメッセージをＡＳＣＩＩフォーマットに変換するよう動作可能である請求項３５に記載の病院ベッド。
【請求項３７】
前記無線通信回路は、所定の事象が該病院ベッドに発生したことに応答して所定の電子メールアドレスにメッセージを送信するよう動作可能である請求項１に記載の病院ベッド。
【請求項３８】
前記無線通信回路は、ハートビート信号を送信するよう動作可能である請求項１に記載の病院ベッド。
【請求項３９】
前記ハートビート信号は、著作権情報を含む請求項３８に記載の病院ベッド。
【請求項４０】
前記著作権情報は会社名と年とを含む請求項３９に記載の病院ベッド。
【請求項４１】
前記ハートビート信号は、１分間に１回以上送信される請求項３８に記載の病院ベッド。
【請求項４２】
前記無線通信回路は、該病院ベッドが１分未満の所定の時間内にハートビート受信済みメッセージを受信しなかった場合、前記ハートビート信号を再送信するように構成されている請求項４１に記載の病院ベッド。
【請求項４３】
前記無線通信回路は、該病院ベッドが備える能力を示すコンフィグレーションデータを送信するよう動作可能である請求項１に記載の病院ベッド。
【請求項４４】
１つ以上の他の装置が結合可能なＴＣＰ／ＩＰポートを備え、
該病院ベッドの前記無線通信回路は、該１つ以上の他の装置から受信した装置データを無線送信するよう動作可能である請求項１に記載の病院ベッド。
【請求項４５】
前記無線通信回路は、８０２．１１ｂまたは８０２．１１ｇプロトコルに従って無線送信するよう動作可能である請求項１に記載の病院ベッド。
【請求項４６】
医療施設内のコンピュータ装置群のネットワークと一緒に使用されるシステムであって、
ベッド状態データを該ネットワークに無線送信するよう動作可能な第１無線通信回路を有する病院ベッドと、
面状態データを該ネットワークに無線送信するよう動作可能な第２無線通信回路を有し該病院ベッドに支持された面と、
前記病院ベッド及び面から遠隔にあり前記ネットワークに結合されたコンピュータ装置と、
を備え、
該第２無線通信回路は該第１無線通信回路と独立に動作可能であり、
前記コンピュータ装置は、（ｉ）当該コンピュータ装置で受信した前記面からの前記面状態データに応答して前記病院ベッドの前記第１無線通信回路へ制御メッセージを送信することと、（ｉｉ）当該コンピュータ装置で受信した前記病院ベッドからの前記ベッド状態データに応答して前記面の前記第２無線通信回路へ制御メッセージを送信することと、の少なくとも一方を行うように動作可能であるシステム。
【請求項４７】
前記第１無線通信回路の送信周波数は前記第２無線通信回路の送信周波数と異なる請求項４６に記載のシステム。
【請求項４８】
前記第１と第２無線通信回路は、８０２．１１ｂまたは８０２．１１ｇプロトコルに従って無線送信する請求項４６に記載のシステム。
【請求項４９】
前記病院ベッド及び面から遠隔にあり前記ネットワークに結合されたコンピュータ装置を更に備え、
該コンピュータ装置は、前記ベッド状態データを受信するよう動作可能であり、該病院ベッドから受信した該ベッド状態データに応答して制御メッセージを該面へ送信するよう動作可能である請求項４６に記載のシステム。
【請求項５０】
前記無線通信回路は、遠隔にあるコンピュータから介護者が行った問合せに応答して前記患者位置モニターの現在選択されたモードを無線送信するよう動作可能である請求項６に記載の病院ベッド。
【請求項５１】
遠隔にあるコンピュータから介護者が送信し前記無線通信回路によって受信された無線メッセージに応答して、前記患者位置モニターの現在選択されたモードから別のモードへ切替わるよう動作可能である請求項６に記載の病院ベッド。
【発明の詳細な説明】
【技術分野】
【０００１】
本発明の開示は、病院ベッド、特に医療施設内において病院ベッドから他の装置へのデータ通信に関する。また更に、本発明の開示は、病院ベッドから遠隔にあるコンピュータ装置及び／又は介護者が携帯する携帯無線通信装置へのデータ通信に関する。
【背景技術】
【０００２】
複数の病院ベッドがナース呼出システムに情報を通信するよう構成される。このようなナース呼出システムは、通常、遠隔にあるナースステーションに、ベッド状態に関する情報を表示するディスプレーを有するコンピュータを備える。１つ以上のナース呼出ボタンが、病院ベッドの、例えば１つ以上のサイドレール上、及び／又は該ベッドに結合される手持ち型ペンダント上にしばしば設けられる。患者は該ナース呼出ボタンの１つを押しナースと話すことを要求することができる。遠隔にあるナースステーションにいるナースと、該患者は、双方向通信リンクを介して互いに通信することができる。該通信リンクは、該ベッドに備えられた又はベッドの近くの部屋の壁に装着されたマイクロホン及びスピーカ等の音声回路を含む。また、離れたナースステーションにいるナースは、コンピュータを使って、該ナースステーションと医療施設内のどこか他の場所にいる介護者との間の、及び／又はナース呼出しをした患者と医療施設内のどこか他の場所にいる介護者との間の双方向通信リンクを確立してもよい。例えば、特許文献１と特許文献２を参照されたい。
【０００３】
病院ベッドは、通常、該ベッドと、該ベッドが在る病室の壁又はヘッドウォールユニットに装着されたジャックを持つインターフェイスとの間を延びるナース呼出ケーブルによる有線接続を介してナース呼出システムに接続される。通常、ベッドからの電源コードは、壁又はヘッドウォールユニットのコンセントに接続される。該ベッドが医療施設内の１つの場所から他の場所へ移動される前に、ナース呼出ケーブルと電源コードのプラグを抜く必要がある。介護者は、ベッドを該壁から離す時に、しばしばナース呼出ケーブルのプラグを抜くのを忘れ、ナース呼出ケーブルを損傷する。ベッドが新しい場所に到着した後、該介護者はナース呼出ケーブルと電源コードの両方のプラグを差し込むのを憶えておく必要がある。ナース呼出ケーブルのプラグが抜かれると、ベッド状態データは、ナース呼出システムに通信されなくなる。また、従来の多くのナース呼出システムは、ローカルエリア・ネットワーク（ＬＡＮ）として構成されており、ベッドインターフェイス・ユニット及び、該ベッドインターフェイス・ユニットから離れたナースステーションにあるコンピュータへの配線等の関連するＬＡＮ設備を医療施設内に設置することを要求する。
【特許文献１】米国特許第５，５６１，４１２号明細書
【特許文献２】米国特許第５，６９９，０３８号明細書
【発明の開示】
【課題を解決するための手段】
【０００４】
本発明は、ベッド状態データをネットワークに無線送信し、該ネットワークからメッセージを無線受信するよう動作可能な無線通信回路とベッド枠を有する病院ベッドであって、該ベッドは関連するマットレスを有し、該ベッド状態データは該マットレスの少なくとも１つの特性と該ベッド枠の少なくとも１つの特性に関する情報を含み、前記ネットワークが前記病院ベッドから無線受信したベッド状態データにより、前記ネットワークのコンピュータ装置が、前記ベッド枠の前記少なくとも１つの特性の状態に基づいて、前記マットレスの特性を制御するメッセージを送信することを特徴とする病院ベッドを含む。
【０００５】
前記無線通信回路は更に、医療施設内における該病院ベッドの位置を示すベッド位置データを前記ネットワークに無線送信するよう動作可能であってよい。前記ベッド位置データは、前記医療施設の部屋内の壁に装着されたユニットから受信したデータを含んでよい。
【０００６】
前記無線通信回路は更に、患者体重データを前記ネットワークに無線送信するよう動作可能であってよい。前記無線通信回路は、遠隔にあるコンピュータから介護者が行った問合せに応答して前記患者体重データを無線送信するよう動作可能であってよい。前記無線通信回路は更に、該病院ベッドの患者位置モニターが複数のモードのうちどのモードで動作しているかを示す患者位置モードデータを前記ネットワークに無線送信するよう動作可能であってよい。該病院ベッドの前記患者位置モニターの第１モードが第１の量の患者動きを検出する動きモードであり、該患者位置モニターの第２モードが該第１の量より大きい第２の量の患者動きを検出する退出開始モードであり、該患者位置モニターの第３モードが該第２の量より大きい第３の量の患者動きを検出する退出モードであり、該患者位置モニターの第４モードが該患者が該病院ベッドの縁に座っていることを検出する座モードであってよい。前記無線通信回路は更に、前記患者位置モニターの前記モードのうち選択されたモードに関連する条件を超えたことを示す警報データを前記ネットワークに無線送信するよう動作可能であってよい。
【０００７】
前記ベッド状態データは、介護者が１つ以上のベッド制御を使用して１つ以上のベッドモーターをロックし患者が該ベッドモーターを動作させることができないことを示すために前記ネットワークに無線送信されるロックアウトデータを含んでよい。前記ベッド状態データは、該病院ベッドの前記マットレスの寝返り介助特性が使用されているか否かを示すために前記ネットワークに無線送信される寝返り介助データを含んでよい。前記ベッド状態データは、該病院ベッドの前記マットレスの最大膨張特性が使用されているか否かを示すために前記ネットワークに無線送信される最大膨張データを含んでよい。前記ベッド状態データは、該病院ベッドの前記マットレスの踵浮モードが使用されているか否かを示すために前記ネットワークに無線送信される踵浮データを含んでよい。
【０００８】
前記ベッド状態データは、該病院ベッドのマットレスの面治療特性が使用されているか否かを示すために前記ネットワークに無線送信される面治療データを含んでよい。前記面治療データは、低空気ロス、連続横回転、交互圧力、順次圧力、パーカッション、及びバイブレーションの面治療タイプ群のうち１つ以上が使用されているか否かを示してよい。前記無線通信回路は更に、該病院ベッドが清掃を必要としていることを示す維持管理データを前記ネットワークに無線送信するよう動作可能であってよい。
【０００９】
前記ベッド状態データは、該病院ベッドのバッテリーの状態を示すために前記ネットワークに無線送信されるバッテリーデータを含んでよい。前記バッテリーデータは、バッテリーが該病院ベッドに在る、バッテリーが該病院ベッドにない、該バッテリーは完全に充電されている、及び該バッテリーは充電が必要である、のうち１つ以上を示してよい。前記ベッド状態データは、該病院ベッドがＡＣ電源に接続されているか否かを示すために前記ネットワークに無線送信されるＡＣ電力データを含んでよい。前記ベッド状態データは、該病院ベッドがサービスを必要としていることを示すために前記ネットワークに無線送信されるサービスデータを含んでよい。前記ベッド状態データは、該病院ベッドの頭部を急速に下げるよう該病院ベッドのＣＰＲリリースハンドルが作動されたことを示すために前記ネットワークに無線送信されるＣＰＲリリースデータを含んでよい。前記ベッド状態データは、該病院ベッドの頭部の傾き角度を示すために前記ネットワークに無線送信されるヘッド角データを含んでよい。前記ヘッド角データは、該病院ベッドの別の部分に対する前記頭部の傾き角度を示してよい。前記ヘッド角データは、水平または垂直に対する該病院ベッドの前記頭部の傾き角度を示してよい。
【００１０】
該病院ベッドが前記ネットワークと無線通信を確立したか否かを示すインジケータを更に備えてよい。前記インジケータは該病院ベッドのサイドレール上の発光ダイオードにより構成されてよい。前記インジケータは該病院ベッドのベース枠上の発光ダイオードにより構成されてよい。前記ネットワークに結合された遠隔にあるコンピュータ装置において、該病院ベッドに対して警報条件のテンプレートが設定されたか否かを示すインジケータを更に備えてよい。前記インジケータは該病院ベッドのサイドレール上の発光ダイオードにより構成されてよい。前記インジケータは該病院ベッドのベース枠上の発光ダイオードにより構成されてよい。
【００１１】
該病院ベッドは前記ネットワークから該病院ベッドにダウンロードした新しいファームウェアでファームウェアを書き換え可能であってよい。前記ファームウェアは該病院ベッドにファイル転送プロトコル（ＦＴＰ）に従ってダウンロードされてよい。前記無線通信回路は、宛先である遠隔にあるコンピュータのＩＰアドレスを含むメッセージを送信するよう動作可能であってよい。前記無線通信回路は、該病院ベッドのＩＰアドレスを含むメッセージを送信するよう動作可能であってよい。前記無線通信回路は、該病院ベッドのＭＡＣアドレスを含むメッセージを送信するよう動作可能であってよい。
【００１２】
前記無線通信回路は、ＸＭＬメッセージを送信するよう動作可能であってよい。前記無線通信回路は、送信前に前記ＸＭＬメッセージをＡＳＣＩＩフォーマットに変換するよう動作可能であってよい。前記無線通信回路は、所定の事象が該病院ベッドに発生したことに応答して所定の電子メールアドレスにメッセージを送信するよう動作可能であってよい。前記無線通信回路は、ハートビート信号を送信するよう動作可能であってよい。前記ハートビート信号は、著作権情報を含んでよい。前記著作権情報は会社名と年とを含んでよい。前記ハートビート信号は、１分間に１回以上送信されてよい。前記無線通信回路は、該病院ベッドが１分未満の所定の時間内にハートビート受信済みメッセージを受信しなかった場合、前記ハートビート信号を再送信するように構成されてよい。
【００１３】
前記無線通信回路は、該病院ベッドが備える能力を示すコンフィグレーションデータを送信するよう動作可能であってよい。該病院ベッドは、１つ以上の他の装置が結合可能なＴＣＰ／ＩＰポートを備え、該病院ベッドの前記無線通信回路は、該１つ以上の他の装置から受信した装置データを無線送信するよう動作可能であってよい。前記無線通信回路は、８０２．１１ｂまたは８０２．１１ｇプロトコルに従って無線送信するよう動作可能であってよい。
【００１４】
本発明はまた、医療施設内のコンピュータ装置群のネットワークと一緒に使用されるシステムであって、ベッド状態データを該ネットワークに無線送信するよう動作可能な第１無線通信回路を有する病院ベッドと、面状態データを該ネットワークに無線送信するよう動作可能な第２無線通信回路を有し該病院ベッドに支持された面と、前記病院ベッド及び面から遠隔にあり前記ネットワークに結合されたコンピュータ装置と、備え、該第２無線通信回路は該第１無線通信回路と独立に動作可能であり、前記コンピュータ装置は、（ｉ）当該コンピュータ装置で受信した前記面からの前記面状態データに応答して前記病院ベッドの前記第１無線通信回路へ制御メッセージを送信することと、（ｉｉ）当該コンピュータ装置で受信した前記病院ベッドからの前記ベッド状態データに応答して前記面の前記第２無線通信回路へ制御メッセージを送信することと、の少なくとも一方を行うように動作可能であるシステムである。
【００１５】
前記第１無線通信回路の送信周波数は前記第２無線通信回路の送信周波数と異なってよい。前記第１と第２無線通信回路は、８０２．１１ｂまたは８０２．１１ｇプロトコルに従って無線送信してよい。
【００１６】
該システムは、前記病院ベッド及び面から遠隔にあり前記ネットワークに結合されたコンピュータ装置を更に備え、該コンピュータ装置は、前記ベッド状態データを受信するよう動作可能であり、該病院ベッドから受信した該ベッド状態データに応答して制御メッセージを該面へ送信するよう動作可能であってよい。前記無線通信回路は、遠隔にあるコンピュータから介護者が行った問合せに応答して前記患者位置モニターの現在選択されたモードを無線送信するよう動作可能であってよい。該システムは、遠隔にあるコンピュータから介護者が送信し前記無線通信回路によって受信された無線メッセージに応答して、前記患者位置モニターの現在選択されたモードから別のモードへ切替わるよう動作可能であってよい。
【００２３】
上記以外の特徴が、単独でまたは上記の特徴と組合せで特許性のある事項を構成する可能性があり、発明を実施するための現時点での最良の形態である以下の様々な実施形態の詳細な説明から、当業者に明らかとなるであろう。
【発明を実施するための最良の形態】
【００２４】
本開示によれば、ネットワークインターフェイス・ユニット３４０は図１の病院ベッド３４２に結合される。ベッド３４２は、ベッド３４２の様々な機能を制御し、様々なベッド機能の状態をモニターするベッド制御回路３４４を備える。また、ベッド３４２はベッド状態データを通信するためのベッド通信回路３４６を備える。ベッド通信回路３４６は、ナース呼出システムに結合するためのナース呼出ケーブルの３７ピン・コネクタ等のコネクタに嵌合するように設計された通信ポートを備える。インターフェイスユニット３４０は、ナース呼出ケーブルではなくユニット３４０の筐体から延びるピッグテールコネクタ等を介して回路３４６のこのポートのコネクタに結合する。
【００２５】
ユニット３４０は、ベッド３４２から受信しシリアル周辺インターフェイスプロトコル（例えば米国特許第６，３６２，７２５号に記載）等の第１のプロトコルに従ってフォーマットされたデータを、８０２．１１ｂ無線通信プロトコルを含む標準イーサネットプロトコル等の第２のプロトコルに従うフォーマットに変換するプロトコル変換回路を備える。ユニット３４０は、病院ネットワークまたはイーサネット３５０の有線インターフェイス３４８にケーブルを介して結合可能なＲＪ−４５ポート等の通信ポートを備える。幾つかの実施形態では、インターフェイス３４８はＲＪ−４５ポートである。また、ユニット３４０はイーサネット３５０の無線インターフェイス３５２と無線通信する回路を備える。幾つかの実施形態では、該インターフェイス３５２は８０２．１１アクセスポイント等の無線送受信機を備える。従って、ユニット３４０がベッド３４２から受信した第１のプロトコルに従うデータは、第２のプロトコルに従ってインターフェイス３４８及び／又はインターフェイス３５２に送信される。また、ユニット３４０がネットワーク３５０から受信した第２のプロトコルに従うデータは、ユニット３４０によって第１のプロトコルに関連するフォーマットに変換され、ベッド３４２の回路３４４に回路３４６を介して転送される。幾つかの実施形態では、ユニット３４０は、インターフェイス３４８、３５２のうちどちらかにだけ結合するよう構成されている。別の幾つかの実施形態では、該プロトコル変換回路はユニット３４０から省略され、ベッド３４２から受信したデータは、それと同じプロトコルに従ってユニット３４０によって送信され、ネットワーク３５０は、それと同じプロトコルに従ってデータをユニット３４０に送信する。
【００２６】
本実施例では、ユニット３４０から有線インターフェイス３４８へ通信されたデータは、第１のネットワークアプリケーション３５４に提供され、ユニット３４０から無線インターフェイス３５２へ通信されたデータは、第２のネットワークアプリケーション３５６と第３のネットワークアプリケーション３５８とに提供される。ネットワークアプリケーション群は、例えばナース呼出システムソフトウェア、入退院追跡（ＡＤＴ）システムソフトウェア、電子医療記録（ＥＭＲ）システムソフトウェア、ワークフロー・システムソフトウェア、医療記録保管システムソフトウェア等を含む。これらのソフトウェアプリケーションのうち２つ以上が同じコンピュータ装置、例えばサーバに格納される。本開示において、第１サブセットのベッドデータが、インターフェイス３５２ではなくインターフェイス３４８へ通信され、第２サブセットのベッドデータが、インターフェイス３４８ではなくインターフェイス３５２へ通信されることを想定する。また、同じベッドデータがインターフェイス３４８、３５２の両方に通信されることを想定する。
【００２７】
幾つかの実施形態では、ユニット３４０は、ユニット３４０がインターフェイス３４８に結合されているか否かを判断する回路を備える。このような実施形態では、インターフェイス３４８に結合されている場合、ベッドデータは有線データリンクを介してインターフェイス３４８に通信され、ユニット３４０はインターフェイス３５２と通信する試みをしない。一方、インターフェイス３４８に結合されていない場合、ベッドデータは無線データリンクを介してインターフェイス３５２に通信される。例えば、ベッド３４２が病室内で静止している時、ユニット３４０はインターフェイス３４８に結合され、例えば、ベッド３４２を医療施設内の１つの場所から別の場所へ移動する間、ユニット３４０はインターフェイス３４８から切り離される。従って、ベッド３４２の移動の間、ユニット３４０はネットワーク３５０との無線通信を許可する。
【００２８】
上記の説明に基づいて、ユニット３４０は、無線で及び／又は有線接続を介してイーサネットプロトコルに従って病院イーサネットと通信する能力を既存の病院ベッドに後付けするのに使用することができることが理解されよう。しかし、ユニット３４０の回路と機能を備えた病院ベッドは、図２に示すように本開示の範囲内である。図２では、ネットワークインターフェイス・ユニット３６０が病院ベッド３６２の一部として含まれる。図２において図１と同じか、又は類似の構成要素は、類似の符号によって示されている。幾つかの実施形態では、ネットワークインターフェイス・ユニット３４０、３６０は、既存のナース呼出システムへのベッドデータのフィードスルーを可能にするためにナース呼出ケーブル用の接続ポートを備える。そうでないと、既存のナース呼出システムは病院イーサネットを介してベッド３４２、３６２と通信できない。
【００２９】
ユニット３４０の一実施形態の電気回路図が、米国仮特許出願第６０／７７３，２８６号（対応米国出願が公開後、米国特許庁ウェブサイトのPublic PairデータベースにおいてContinuity Dataタブを選択して出願番号を入力し、次いで仮出願番号のハイパーリンクを選択することでアクセス可能である。）に付録１として添付されている。この出願を本明細書に援用する。上記のように、幾つかの実施形態では、ユニット３４０は無線でのみ通信し、ネットワーク３５０の有線インターフェイス３４８ではなく無線インターフェイス３５２と通信する。このような実施形態では、ベッド通信回路３４６は、有線インターフェイス３４８に結合するための接続ポートを備えていてもよい。本明細書において、ユニット３４０はしばしば無線通信回路と呼ばれる。
【００３０】
本開示によれば、限られたセットのベッド状態データを送信するように元々設計された病院ベッドに、増えたセットのベッド状態データをユニット３４０から無線で及び／又は有線接続を介して送信することを可能にする回路を後付けする。勿論、増えたセットのベッド状態データを送信する能力を元々備えたベッドも、本発明において想定されている。増えたセットのベッド状態データを送信することを可能にする回路が後付けされるベッドでは、既存の回路３４６は取除かれ、新しいベッド通信回路３４６が代わりに設置される。これらの後付けされたベッドの幾つかの実施形態では、ユニット３４０は増えたセットのベッド状態データを無線で送信するよう構成されている。一方、ベッド回路３４４及び／又は後付けされた回路３４６は元のセットのベッド状態データを有線接続を介してネットワーク３５０に送信するよう構成されていてもよい。米国ヒル‐ロム社のVersaCare(登録商標)ベッドに後付け及び／又は元々設置されるよう設計された回路３４６の一実施形態の電気回路図が、米国仮特許出願第６０／７７３，２８６号に付録２として添付されている。米国ヒル‐ロム社のTotalCare(登録商標)ベッドに後付け及び／又は元々設置されるよう設計された回路３４６の別の実施形態の電気回路図が、米国仮特許出願第６０／７７３，２８６号に付録３として添付されている。
【００３１】
ユニット３４０によって無線で送信されたベッド３４２からのベッド状態データの一例が下記の表１〜３に示されている。
【００３２】
0005363706.tif 000002
【００３３】
表１に示すように、ブレーキ状態データは、該病院ベッドのキャスターのうち１つ以上のキャスターのブレーキがオンかオフかを示す。面防止モードデータは、病院ベッドの面が、圧力潰瘍（例えば床ずれ）ができるのを防ぐよう試みるやり方で空気袋圧を制御するようアクティブであるか否かを示す。ベッド退出準備状態は、患者がベッドを出たか否かを検出するベッド退出システムが準備できているか否かを示す。ベッド低位置データは、マットレス支持台を保持する上部枠がベッドのベース枠に対して最も低い位置にあるか否かを示す。ヘッドレール位置データはヘッド端サイドレールがアップかダウンかを示す。フットレール位置データはフット端サイドレールがアップかダウンかを示す。
【００３４】
0005363706.tif 000003
【００３５】
表２に示すように、患者位置モード（PPM）データは、該病院ベッドの患者位置モニターシステムが、第１の量の患者動きを警報条件とする動きモードにあるか、又は第１の量より多い第２の量の患者動きを警報条件とする退出開始モードにあるか、又は第２の量より多い第３の量の患者動き（該ベッドから離れる動きを含む）を警報条件とする退出モードにあるかを示す。患者位置モードデータは更に、選択されたモードの警報条件が発生したか否かを示す。また、表２に示すように、サイドレール位置データは、右ヘッドレール、左ヘッドレール、右フットレール、及び左フットレールのそれぞれがアップかダウンかを示す。モータロックアウトデータは、該マットレス支持台の頭部を持上げる及び下げるよう動作可能なヘッドモータがロックされているか否かと、マットレス支持台の腿部（又は座部）を持上げる及び下げるよう動作可能な膝モータがロックされているか否かと、マットレス支持台を保持する上部枠をベッドのベース枠に対して持上げる及び下げるよう動作可能な１つ以上のハイ／ロー・モータがロックされているか否かと、上記のモータの全てがロックされているか否かとを示す。
【００３６】
表２は更に面状態データ、例えば、一回単位で１つの方向に患者を寝返りさせる左寝返介助モードまたは右寝返介助モードがアクティブであるか否か、マットレスの空気袋を患者移送、患者出入り、又はＣＰＲのために所定の最大圧に膨張させ面を硬くする最大膨張モードがアクティブであるか否か、患者の踵部の空気袋を収縮させ患者の踵に圧力潰瘍ができるのを防ぐよう試みる踵浮モードであるか否か、患者を周期的に左右に回転する回転モードがアクティブであるか否か、頭ゾーン袋、座ゾーン袋、及び足ゾーン袋を順に膨張させるオプティレストモードがアクティブであるか否か、該面の１つ以上の空気袋を脈動させるパーカッションがアクティブであるか否か、及び該面の１つ以上の空気袋を振動させるバイブレーションがアクティブであるか否かを示す。他の実施形態では、面状態データは、患者を冷やす及び／又は患者から湿気を取去るためにマットレスの開口から空気を放出する低空気ロスモードがアクティブであるか否か、及び／又は交互に並んだ空気袋がそれぞれ異なる時間に膨張及び収縮し、患者の異なる部分が異なる空気袋によって異なる時間に支持される交互圧力モードがアクティブであるか否かを示す。
【００３７】
表２に更に示すように、維持管理データは、ベッド上の維持管理スイッチ又はボタンがアクティブ（例えば、押された）であり、スタッフメンバーに該病院ベッド及び／又は関連する部屋を清掃することを要求しているか否かを示す。バッテリー状態データは、バッテリーがベッドにあるか否か、バッテリーがベッド回路から外されているか否か、バッテリーの充電が必要か否か、及びバッテリーが完全に充電されたか否かを示す。ＡＣ電力データは、ＡＣ電力をベッドが受けているか否かを示す。サービスデータは、ベッドがサービスを必要としているか否かを示す。ＣＰＲモードデータは、ベッドのＣＰＲリリースハンドルが作動されたか否かを示す。このハンドルによりマットレス支持台の頭部が急速に下げられＣＰＲを迅速に患者に提供する。ナース呼出データは、介護者と話しをすることを要求するナース呼出スイッチが作動されたか否かを示す。看護警告データは、遠隔にあるコンピュータのテンプレートに設置された看護警告を許可／禁止する看護警告スイッチが作動されたか否かを示す。
【００３８】
0005363706.tif 000004
【００３９】
表３に示すように、ベッドタイプデータは、ベッドデータを送信したベッドタイプ（例えば、製造者及びモデル番号）を示す。ベッド位置データは、医療施設内のベッドの位置を示す。ヘッド角データは、マットレス支持台の頭部が他の部分、例えば上部枠又は他の台部に対して、または水平又は垂直に対して持ち上げられている角度を示す。スイッチ設置データは、１つ以上のブレーキスイッチ、サイドレールフット・スイッチ、サイドレールヘッド・スイッチ、及び／又はナース呼出スイッチがベッドに設置されているか否かを示す。情報入手可能データは、ベッド退出データ及び／又はベッド低位置データがベッドから入手できるか否かを示す。患者体重データは、該病院ベッドの重量計システムによって測定された患者の体重を示す。
【００４０】
表１は、米国特許第５，５６１，４１２号及び米国特許第５，６９９，０３８号に示されたものと類似の標準ベッド状態データのリストを含む。しかし、本開示によれば、標準ベッド状態データは、無線でユニット３４０又はユニット３６０によって無線インターフェイス３５２へ送信される。表２と表３はそれぞれ、ユニット３４０又はユニット３６０から無線で無線インターフェイス３５２へ送信された追加のデータのリストを含む。
【００４１】
これに加えて又はこれに代えて、上記３つの表のうちのいずれかの任意のベッド状態データは、ベッド３４２又は３６２から有線インターフェイス３４８へ送信されてもよい。該データは１つ以上のネットワークアプリケーション３５４、３５６、３５８によって使用される。これらアプリケーションの例は、ベッド上のある状態が検出された時、指定された介護者に連絡するナース呼出ソフトウェア、介護者と他のスタッフメンバーに仕事を割当てるワークフローソフトウェア、人及び／又は装置の居場所を追跡する位置特定・追跡ソフトウェア、入退院移送（ＡＤＴ）ソフトウェア、ベッド割当てソフトウェア等である。
【００４２】
ベッド３６４と一緒に使用されるが、上記ユニット３４０、３６０のようにはベッドに装着または一体化されていないネットワークインターフェイス・ユニット３６６は、図３に示すように、ベッド３６４に結合可能な第１結合器又はコネクタ３６８と、ナース呼出システム３７２に結合可能な第２結合器又はコネクタ３７０と、病院イーサネットに結合可能な第３結合器又はコネクタ３７４とを備える。ユニット３６６は、例えば病室内の壁又はヘッドウォールユニットに装着されてよい。本実施例では、結合器３６８は、ベッド３６４から延びるケーブルの端に設けられた雄３７ピン・コネクタに嵌合する雌３７ピン・インターフェイスを備える。また本実施例においては、結合器３７０は、ナース呼出システム３７２に結合されるケーブルの端に設けられた雌３７ピン・コネクタに嵌合する雄３７ピン・インターフェイスを備える。本実施例のコネクタ３７４は、ユニット３６６を適切なケーブルを介して病院イーサネットに結合するためのＲＪ−４５イーサネットポートを備える。従って、コネクタ３７４は本明細書において、しばしばポート３７４と呼ばれる。
【００４３】
ベッド３６４がコネクタ３６８に結合され、ナース呼出システム３７２がコネクタ３７０に結合されると、ベッド３６４とナース呼出システム３７２との間の通信が第１データリンク３７６、第２データリンク３７８、及びフィードスルーデータリンク３８０を介して行われる。データリンク３７６はベッド３６４とコネクタ３６８との間に確立され、データリンク３７８はコネクタ３７０とナース呼出システム３７２との間に確立され、データリンク３８０はコネクタ３６８とコネクタ３７０との間に確立される。データリンク３７６、３７８、３８０は通常、有線データリンクであるが、データリンク３７６、３７８、３８０のうち１つ以上は、赤外（ＩＲ）又は無線周波数（ＲＦ）データリンク等の無線データリンクであることは、本開示の範囲内である。本実施例においては、コネクタ３６８、３７０はコネクタ・プリント回路基板（ＰＣＢ）３８２に装着される。
【００４４】
上記のように、コネクタ３７４によってユニット３６６が病院イーサネットに結合される。従って、ベッド３６４及びナース呼出システム３７２からデータリンク３７６、３７８を介して受信したデータは、ポート３７４を介して病院イーサネット上の他の装置に送信されてよい。ポート３７４は、ソフトウェア制御の下、ベッド３６４及びナース呼出システム３７２から受信したデータのフォーマットをＴＣＰ／ＩＰプロトコル等のイーサネットプロトコルに従う適切なフォーマットに変換するプロセッサ３８６が搭載されたプロセッサＰＣＢ３８４に結合される。プロセッサ３８６は汎用入出力（ＧＰＩＯ）コネクタ３８８とシリアル周辺インターフェイス（ＳＰＩ）コネクタ３９０とを有する。コネクタ３９０は２０ｍＡ電流ループハードウェア３９２に結合され、このハードウェア３９２はＳＰＩ信号３９４を通信するためのコネクタ３６８に結合される。また、コネクタ３６８は、優先呼出インターフェイス信号３９６、ナース呼出インターフェイス信号３９８、及びＰＣＢ３８２に結合されたキャンセルボタン４１０から発信されるナース呼出キャンセル信号４００を通信するためのプロセッサ３８６のコネクタ３８８に結合される。
【００４５】
コネクタ３７０は、ナース呼出信号４１６と優先呼出信号４１８とを通信するために第１リレー４１２と第２リレー４１４とをそれぞれ介してプロセッサ３８６のコネクタ３８８に結合される。プロセッサ３８６は発振子４２０と、コンフィグレーション・モジュール４２２と、１組の発光ダイオード（ＬＥＤ）４２４とに結合される。また、読出し専用メモリー（ＲＯＭ）４２６、ランダムアクセスメモリー（ＲＡＭ）４２８、及び電気消去可能プログラマブル読出し専用メモリー（ＥＥＰＲＯＭ）４３０等の様々なメモリーデバイスがプロセッサ３８６に結合される。様々なソフトウェアアプリケーション４３２はプロセッサ３８６が実行するために前記メモリーデバイスに格納される。本実施例においては、ソフトウェアアプリケーション４３２群は、ＲＯＭ４２６に格納され、リアルタイムオペレーティングシステム（ＲＴＯＳ）ソフトウェアと、動的ホストコンフィグレーションプロトコル（ＤＨＣＰ）ソフトウェア、ファイル転送プロトコル（ＦＴＰ）／テルネット・ソフトウェア及び拡張マークアップ言語（ＸＭＬ）ソフトウェア等のイーサネットソフトウェアとを含む。上述したソフトウェアのタイプは、例を示すものであり、全てを網羅していることを意図していない。従って、ユニット４６６と病院イーサネットとの間の通信を可能にする全てのタイプのソフトウェアをデバイス４２６、４２８、４３０のうち１つ以上に格納し、プロセッサ３８６が実行することは本開示の範囲内である。
【００４６】
例として、プロセッサ３８６はデータリンク４３６を介してＪＴＡＧ（Joint Test Action Group）コネクタ４３８に結合されたデバッグモジュール４３４を備える。診断デバイスがコネクタ４３８に結合され、バウンダリスキャンを実行しプロセッサ３８６の全ピンの値を読出し及び設定できる。また、随意にＰＣＢ３８４上の他のデバイス及び／又はプロセッサ３８６の内部レジスタの値を読出し及び設定できる。例として、該プロセッサは、更に１０／１００メディアアクセス・コントローラ（ＭＡＣ）モジュール４４０を備え、ユニット３６６は病院イーサネットと毎秒１０Ｍビット（Ｍｂｐｓ）又は１００Ｍｂｐｓのデータ転送レートで通信できる。メディア不依存インターフェイス（ＭＩＩ）信号４４４を通信するために、モジュール４４０はイーサネット物理層（ＰＨＹ）モジュール４４２に結合される。また、モジュール４４２はトランス等の電気絶縁デバイス４５０に結合されるか又はこれを備える。デバイス４５０はデータリンク４５２上を通信されたデータ信号をモジュール４４２とコネクタ３７４の間で電気的に絶縁する。
【００４７】
ユニット４６６は、電力レギュレータ・保護・節電回路４５６に１つ以上の導線４５８によって結合された代替直流（ＤＣ）電力ポート４５４を備える。外部源からの電力がポート４５４に結合され、ユニット３６６の様々な部品を動作させるのに使用される。また、イーサネット（ＰｏＥ）を介する電力を供給する１つ以上の導線４６０が回路４５６に結合され、コネクタ３７４が病院イーサネットに結合された場合、イーサネットからの電力をユニット３６６の全部品を動作させるのに使用できる。また、回路４５６はウォッチドッグ／パワーオンリセット回路４６２に結合される。本開示のユニット３６６の実施形態の追加の詳細は、電気回路図を含め、上記の米国仮特許出願第６０／７７３，２８６号に添付された付録４に示されている。
【００４８】
上述のように、ユニット３６６はコネクタ３６８、３７０、３７４を介してそれぞれベッド３６４、ナース呼出システム３７２、及び病院イーサネットに結合可能である。本実施例では、ナース呼出システム３７２はイーサネットプロトコルに従う通信をせず、ユニット３６６がナース呼出システム３７２とイーサネットの間の接続を提供し、ナース呼出システム３７２からのデータをイーサネット通信のための適切なフォーマットに変換する。別の構成では、ナース呼出システム３７２はデータリンク３７８を介してコネクタ３７０に結合されるのでなく、ナース呼出システム３７２はイーサネットプロトコルを用いて通信するよう構成され、ユニット３６６とポート３７４を介してデータを送受信する。そのような構成では、ユニット３６６はポート３７４を介してナース呼出システム３７２から受信したデータをコネクタ３６８とデータリンク３７６とを介するベッド３６４への通信に適切なフォーマットに変換する。
【００４９】
図４を参照すると、ナース呼出システム３７２はデータリンク４６８を介して病院イーサネット４６６に結合され、ベッド３６４はデータリンク３７６を介してネットワークインターフェイス・ユニット（ＮＩＵ）３６６に結合される。次にユニット３６６は、ユニット３６６のポート３７４に結合されたデータリンク４７０を介してイーサネット４６６に結合される。データリンク３７６、４６８、４７０は通常、有線データリンクである。しかし、データリンク３７６、４６８、４７０が無線であることは本開示の範囲内である。図５を参照すると、ベッド３６４がイーサネット４６６に結合された無線アクセスポイント送受信機４７２と無線で通信するよう構成された別の構成が示されている。ベッド３６４は、イーサネットプロトコルに従って送受信機４７２と双方向通信し、送受信機４７２はデータリンク４７４を介してイーサネット４６６と双方向通信する。
【００５０】
病院はベッド３６４に類似の多数のベッドと、該ベッドに関連する多数のネットワークインターフェイス・ユニット３６６とを備えることは理解されよう。各ユニット３６６は病院内の特定の位置に設置される。例えば、１つ以上のユニット３６６が様々な病室に配置される。各ベッド３６４と各ユニット３６６とは、シリアル番号等の固有の識別（ＩＤ）コードが割当てられる。幾つかの実施形態では、ナース呼出システム３７２の１つ以上のコンピュータは、ベッドＩＤデータをＮＩＵ―ＩＤデータと関連付けるためのソフトウェアを備える。これにより、ナース呼出システム３７２は病院内の各部屋にどのベッドが在るかを追跡し、この情報をシステム３７２を使用する介護者に伝えることができる。
【００５１】
ユニット３６６のプロセッサ３８６は、ポート３７４がイーサネット４６６に結合されているか否かを判断する。ユニット３６６がイーサネット４６６にポート３７４を介して接続されているか否かに依って、ベッドＩＤデータ及びＮＩＵ―ＩＤデータのナース呼出システム３７２へのデータ経路が異なる。ユニット３６６が、ポート３７４がイーサネット４６６に結合されていることを検知した場合（図４）、例えば、関連するベッド３６４は、そのベッドＩＤデータを矢印４７６に示すようにユニット３６６に送信し、次にユニット３６６は、そのＮＩＵ―ＩＤデータと該ベッドＩＤデータとを複数のパケットにしてイーサネット４６６にポート３７４を介してそれぞれ矢印４７８、４８０に示すように送信する。ユニット３６６が、ポート３７４がイーサネット４６６に結合されていないことを検知した場合（図５）、例えば、ユニット３６６は、そのＮＩＵ―ＩＤデータを矢印４８２に示すように関連するベッド３６４に送信し、次にベッド３６４は、そのベッドＩＤデータと該ＮＩＵ―ＩＤデータとを複数の無線パケットにして送受信機４７２にそれぞれ矢印４８４、４８６に示すように無線送信する。他のタイプのベッド状態データのためのデータ経路は、ユニット３６６がポート３７４を介してイーサネットに接続されているか否かに依って、図４又は図５に示されたベッドＩＤデータの経路と同じである。
【００５２】
各ベッド３４２、３６２、３６４は、関連するネットワーク上の装置と有線で通信するか無線で通信するかに拘わらず、該ベッドの通常の使用時、病室内の電気コンセントに差込まれる電源コード（不図示）を有する。本開示によれば、ベッド３４２、３６２、３６４の電源コードのプラグが抜かれると、これはベッドを医療施設内で１つの位置から別の位置へ移動する場合に通常発生することであるが、図１０及び図１１を参照して後述するテンプレート及び／又は米国特許出願公開第２００６／００４９９３６Ａ１号に開示されたテンプレート等の関連する看護警告テンプレートは自動的に禁止される。この出願を本明細書に援用する。従って、ベッド３４２、３６２、３６４がベッドデータを移動中に無線通信することができる場合でも、関連するナース呼出システムは、介護者が携帯する無線通信装置と通信を始めることはない。このような警報通知は、他の介護者が移動中にベッド３４２、３６２、３６４に付添うので、通常必要とされるわけではない。看護警告テンプレートの自動的無効化の前に、僅かの遅延期間、例えば１０秒又は２０秒経過することが要求されてもよい。これにより、もしベッドの電源プラグが誤って抜かれた場合、看護警告テンプレートが禁止される前にそのベッドの電源プラグを差込みなおすための時間ができる。
【００５３】
無線通信するベッド３４２、３６２、３６４の場合は、データがベッドの無線送信機から送信され、関連するナース呼出システムにそのベッドのプラグが抜かれたことを通知する。このようなデータは、上記の遅延期間後（即ち、ベッドが該遅延期間の経過を検出する）、又はプラグが抜かれたことに応答してほぼ直ちに（即ち、ナース呼出システムが該遅延期間の経過を検出する）送信されてよい。後者の場合、該遅延期間が経過する前にベッドのプラグを差込みなおした場合、適切なデータがベッドの無線送信機から送信され、ナース呼出システムは看護警告テンプレートを禁止しない。
【００５４】
無線通信回路を有するベッドは、バッテリーバックアップ電源又は１つ以上のコンデンサによって、ベッドのプラグが抜かれたことを示すデータを送信するのに十分な時間（幾つかの実施形態では、更に該ベッドがその受取り通知を受け取るのに十分な時間）、電力供給されてもよい。ＮＩＵ３６６に結合されたベッド３４２、３６２、３６４の場合は、ＮＩＵ３６６は、ベッドの電源コードが抜かれたこと、或いはベッドからのケーブルがＮＩＵ３６６から抜かれたことを示す適切な信号をナース呼出システムに送信する。更に又は代りに、関連する位置特定追跡システムの無線アクセスポイント又は送受信機等の別の無線送受信機又は受信機がベッド３４２、３６２、３６４から信号を受信した場合、ナース呼出システムはベッド３４２、３６２、３６４のプラグが抜かれ移動中であると判断し、医療警告警報通知を自動的に禁止してもよい。
【００５５】
幾つかの実施形態では、ベッド３４２、３６２、３６４が新しい位置に到着しその電源コードが差込まれた後、介護者はナース呼出システムにそのベッドの看護警告テンプレートを再許可するよう信号を送る。介護者は、その部屋の音声端末、またはマスターナース呼出ステーションのコンピュータ、または介護者が携帯する無線通信装置で適切な入力を行うことにより該ベッド３４２、３６２、３６４の看護警告テンプレートを再許可することができる。別の幾つかの実施形態では、看護警告テンプレートの再許可は、音声で無線通信装置に入力されてもよい。
【００５６】
ナース呼出システムは、ベッドＩＤデータを受信するので、ベッド３４２、３６２、３６４に関連する看護警告テンプレートを知ることができる。従って、ナース呼出システムのユーザによって無効化されなければ、ベッドが新しい位置に移動しても該ベッドと患者と割当てられた介護者との間の関連付けはナース呼出システムによって維持される。ナース呼出システムがベッドのプラグが差込みなおされたと判断した（上記の判断方法のうちいずれかにより）のち所定の期間内に割当てられた介護者が看護警告テンプレートを再許可しなければ、ナース呼出システムが該割当てられた介護者が携帯する無線通信装置に看護警告テンプレートの再許可を催促してもよい。
【００５７】
別の実施形態では、ベッド３４２、３６２、３６４が移動しプラグを差込みなおされた後、ナース呼出システムは看護警告テンプレートを自動的に再許可してもよい。更に又は代りに、ナース呼出システムは割当てられた介護者の無線通信装置と通信し、再許可禁止指示を受信しなければ所定の時間内に看護警告テンプレートを再許可することを伝えてもよい。更に又は代りに、ナース呼出システムは割当てられた介護者の無線通信装置と通信し、割当てられたベッドは新しい位置にあり該介護者は看護警告テンプレートを再許可するために適切な方法（ナース呼出コンピュータでの入力、音声指示、無線通信装置のユーザインターフェイスでの入力等）で通信するべきであると通知してもよい。
【００５８】
ナース呼出システムがベッド３４２、３６２、３６４から受信したデータは、病院ネットワークの他のシステムに提供されてもよい。例えば、重量計システムを有するベッド３４２、３６２、３６４は患者体重データをナース呼出システムに送信し、次にナース呼出システムが該患者体重データを電子医療記録（ＥＭＲ）システムに送信し、電子医療記録システムは該患者体重データを関連する患者記録に記録する。ナース呼出システムは該患者体重データを１つの通信プロトコルから別の通信プロトコルに変換してもよい。従って、ナース呼出システムは、ＥＭＲシステムに送信するために、受信した患者体重データをヘルスレベル７（ＨＬ７）プロトコルに変換してもよい。幾つかの実施形態では、患者体重データは、ナース呼出コンピュータでの入力、音声指示、無線通信装置のユーザインターフェイスでの入力等による介護者からの問合せだけに応答してナース呼出システムに送信される。このようなシステムは、患者体重データ等の時間の経過によってあまり変化せず介護者から時々しか要求されないタイプのデータの不要なネットワーク送信を削減する。
【００５９】
通常、病院コンピュータネットワークはインターネットに結合される。従って、ベッド３４２、３６２、３６４が病院ネットワークに結合されるので、ベッド３４２、３６２、３６４からのデータはインターネット上で利用可能となる。このようなデータは、パスワードによる保護がされてもよい。また、ソフトウェアのアップグレード版は、例えば、インターネット及び／又は病院ネットワークを介してベッド製造者及びナース呼出システム製造者によってベッド３４２、３６２、３６４及びナース呼出システムに送信されてもよい。ベッドのソフトウェアのアップグレード版は、病院ネットワークから無線又は有線接続を介して受信されてもよい。更に又は代りに、ナース呼出システム及び／又はベッドのソフトウェアは、当該施設を訪問中のフィールド技術者が病院ネットワークに結合したコンピュータを介してフィールドアップグレード可能であってもよい。
【００６０】
異なるタイプの病院ベッドは、異なる特性と機能を有する。従って、ベッド３４２、３６２、３６４は看護警告テンプレートのうち幾つかに関する機能タイプの全ては有していなくてもよい。例えば、全てのベッドがベッド退出システム又は重量計システムを有しているわけではない。別の例は、多くのベッドは専用の治療面、例えば回転面、低空気ロス面、又は交互圧力面を持っていない。本開示によれば、ベッド３４２、３６２、３６４は、関連するナース呼出システムに該ベッドの構成を示すデータ（例えば、該ベッドが備える機能のタイプ）を送信する。幾つかの実施形態では、ナース呼出システムでは、該ベッドに存在しない特性及び機能に対応する看護警告テンプレートの部分が灰色（使用不可）になる。他の実施形態では、ナース呼出システムはそのような特性と機能を看護警告テンプレートから取去る。別の他の実施形態では、ナース呼出システムは、ユーザが特定のベッドに対して構成しようとしている特定の看護警告テンプレートに含まれた特定の機能を該ベッドが欠いていることを示す通知をマスターナース呼出ステーションに提供し及び／又は割当てられた介護者の無線通信装置へ送信する。このような通知は、看護警告テンプレートが患者に（上記のＡＤＴシステムを介して）割当てられ次に幾つかの特性又は機能を欠いたベッドが該患者に割当てられる場合に、ナース呼出システムによって提供されてよい。
【００６１】
図６を参照すると、ネットワーク２０は、ネットワーク２０の他の装置と３つの異なる方法で通信するよう構成された複数のベッド２２を含む。例えば、ベッド２２は、３７ピン・ツー・３７ピンケーブル等の有線シリアル周辺インターフェイス（ＳＰＩ）リンクを介してベッドインターフェイス・ユニット２４（ＢＩＵ）に結合可能であり、該ＢＩＵは音声ステーション２６に有線ＲＳ４８５リンクを介して結合される。また、位置特定追跡システムのロケータ２８（例えば、ＩＲ受信機又は送受信機）は音声ステーション２６にＲＳ４８５リンクを介して結合され、介護者によって着用又は携帯された位置特定追跡バッジからＩＲ信号等の無線信号を受信するよう構成されている。音声ステーション２６はデジタル電話スイッチ（ＤＸＰ）３０に結合される。他の実施形態では、プライベートブランチ交換機（ＰＢＸ）がＤＸＰ３０の代りに使用される。ＤＸＰ３０はナース呼出サーバ３２にＲＳ４８５リンクを介して結合される。１つ以上のナース呼出コンピュータがサーバ３２に結合され、ベッド２２からＢＩＵ２４、音声ステーション２６、及び１つ以上のＤＸＰ３０を介してサーバ３２が受信したベッド状態情報及び他の情報を表示する。サーバ３２と該関連する１つ以上のコンピュータは、しばしばナース呼出モジュール（ＮＣＭ）と呼ばれる。本明細書においてサーバ３２はしばしば単にコンピュータ３２と呼ばれる。要するに、ベッド２２、ＢＩＵ２４、音声ステーション２６、ロケータ２８、ＤＸＰ３０、及びサーバ３２はネットワーク２０の従来のナース呼出システムを構成する。従来のナース呼出システムは米国特許第５，５６１，４１２号及び米国特許第５，６９９，０３８号に示されたタイプである。このように従来のナース呼出システムに結合された時、ベッド２２は上記表１にリストした標準ベッド状態データをサーバ３２に送信する。オプションとして、サーバ３２は病院イーサネット３４に有線リンクを介して結合される。この有線リンクの例は、衝突検出付きキャリア検知多重アクセス（ＣＳＭＡ／ＣＤ）方式及び物理層規格‐メディアアクセス・コントロール（ＭＡＣ）パラメータを使用する８０２．３プロトコルに従うリンク（本明細書においてしばしば８０２．３リンクと呼ばれる）である。図６のイーサネット３４は、追加のコンピュータ装置（例えば、ＰＣ、サーバ、医療装置等）と追加の設備（例えば、ケーブル、コンセント、コネクタ、ルーター、ゲートウェイ等）とを概略的に示す。
【００６２】
また、ベッド２２は有線ＳＰＩリンクを介してネットワークインターフェイス・ユニット（ＮＩＵ）３６６に結合可能である。ネットワーク２０のＮＩＵ３６６は、図３〜図５を参照して説明したＮＩＵ３６６とほぼ同じであり、同じ符号を図６において用いている。ＮＩＵ３６６はイーサネットスイッチ３６に８０２．３リンクを介して結合され、スイッチ３６は病院イーサネット３４に８０２．３リンクを介して結合される。１つ以上の看護警告サーバ及び／又はコンピュータ３８（以後、しばしば単にコンピュータ３８と呼ばれる）が、ＡＤＴシステム等の他の医療システムと同じように病院イーサネット３４に結合される。看護警告サーバ及び／又はコンピュータ３８は、ベッド２２からベッド状態データを受信する１つ以上のソフトウェアアプリケーションを有する。例えば、ワークフローソフトウェアアプリケーションは医療施設の介護者と他のスタッフメンバーに仕事を割当てるよう動作可能である。ワークフローソフトウェアは、例えば、米国ヒル‐ロム社から入手可能なNaviCare（登録商標）ソフトウェアである。本開示によれば、コンピュータ３８のワークフローソフトウェアアプリケーションは、下記に詳述するようにベッド２２から受信した情報に基づいてスタッフメンバーに仕事を割当てる。また、コンピュータ３８はナース呼出ソフトウェアアプリケーションを有してもよい。ベッド２２はＮＩＵ３６６及び関連するネットワーク設備（例えば、イーサネットスイッチ３６、イーサネット３４等）を介してコンピュータ３８に結合され、ベッド２２はコンピュータ３８に、表１〜表３にリストしたタイプのベッド状態データの追加セット、又は該ベッド２２が備える特性に依ってその一部を送信する。
【００６３】
また、ベッド２２は、ベッド２２に取付けられた無線通信モジュール（ＷＣＭ）を介して無線で通信可能である。ＷＣＭは上述のユニット３４０及び／又はユニット３６０に類似し、図６においてＷＣＭ３４０として示されている。ＷＣＭ３４０はＳＰＩリンクを介して関連するベッド２２の回路と通信し、無線８０２．１１ｂリンクを介して医療施設中に配置された無線アクセスポイント４２と通信する。８０２．１１ｇプロトコル、ブルーツースプロトコル、Zigbeeプロトコル等の任意の無線通信プロトコルに従ってＷＣＭがアクセスポイント４２と通信することは本開示の範囲内である。上述のように、イーサネットスイッチ３６はイーサネット３４に結合され、イーサネット３４はコンピュータ３８に８０２．３リンクを介して結合されている。また、イーサネット３４はインターネット４４に８０２．３リンクを介して結合されている。ベッド２２がコンピュータ３８にＷＣＭ及び関連するネットワーク設備を介して結合されると、ベッド２２はコンピュータ３８に表１〜表３にリストしたタイプのベッド状態データの追加セット、又は該ベッド２２が備える特性に依ってその一部を無線送信する。
【００６４】
図６から明らかなように、ベッド２２は従来のナース呼出システムの構成部品に結合されてよい。この従来のナース呼出システムはＮＩＵ３６６への有線接続を介して、又はＷＣＭ３４０と無線アクセスポイント４２との間の無線接続を介してナース呼出システムに結合されている。ベッド２２によって成される接続のタイプ（ＢＩＵ２３への有線接続、ＮＩＵ３６６への有線接続、又はＷＣＭからアクセスポイント４２への無線接続）はベッド２２により送信されるベッド状態データのタイプを決定する。従って、本発明ではベッド２２は複数の接続選択肢を持つ。しかし、ベッド２２がＷＣＭを使用し無線で通信するだけ、又はＮＩＵへの有線接続で通信するだけの場合も本開示の範囲内である。コンピュータ３８とコンピュータ３２はベッド状態データを、イーサネット３４及び／又はインターネット４４に結合された任意の他のコンピュータ装置に送信するよう構成されてもよい。
【００６５】
ベッド２２からのベッド状態データは異なるコンピュータ、又は同一のコンピュータ上の異なるソフトウェアアプリケーションに送信されてもよい。例えば、ベッド２２によってベッド状態データパケットが送信され、ナース呼出ソフトウェアアプリケーションによって使用され、ベッド２２によって他のベッド状態データパケットが送信され、ワークフローソフトウェアアプリケーション等の他のソフトウェアアプリケーションによって使用される。ベッド状態データの各データパケットは、該ベッド状態データの宛先であるコンピュータのアドレス、例えば、インターネットプロトコル（ＩＰ）アドレスを含んでもよい。前述のように、異なるタイプのベッド状態データが、それぞれ同一のコンピュータ上で動作している異なるソフトウェアアプリケーションに送られてもよい。この場合、ベッド状態データの各パケットに含まれたＩＰアドレスは、該同一のコンピュータ上のそれらソフトウェアアプリケーションが異なるＩＰアドレスを割当てられているか否かに依って、同じＩＰアドレスである場合と同じでない場合がある。更に又は代りに、ベッド状態データはそのデータタイプに基づいて異なる複数のソフトウェアアプリケーションに、それらが同一のコンピュータ上にあるか、異なるコンピュータ上にあるかに依らず、送られてもよい。また、ベッド状態データの各データパケットはベッド識別データ、例えば当該ベッド２２のシリアル番号及び／又はＩＰアドレス及び／又はＭＡＣアドレスを含んでもよい。また、ベッド状態データの各データパケットはもし既知であれば、医療施設の関連するベッド２２の位置を示す部屋番号又は他の位置ＩＤ等の位置データを含む。本開示によれば、各ベッド２２のＩＰアドレスが、イーサネット３４に含まれた１つ以上のコンピュータ装置によって動的ホストコンフィグレーション・プロトコル（ＤＨＣＰ）に従って割当てられてもよい。
【００６６】
また、本開示によれば、面（例えば、治療マットレス、空気マットレス、特殊マットレス）４６は、それと関連するユニット３４０等のＷＣＭを備えてもよい。ＷＣＭを備える面４６は、本明細書において単に面４６と呼ばれる。ベッドの足ボード又は他の部分に取付けられたハウジング内に制御ユニットを有する面４６は、一般的に既知である。このような面制御ユニットは、通常、制御信号を該面制御ユニット内の様々な他の部品に提供するための電気制御回路とユーザインターフェイスとに加えて、ポンプ、圧縮機、送風機、弁、多岐管等を備える。他の面４６はこのような面制御ユニットがその面の足部に組込まれている。本開示によれば、無線通信回路がこのような面制御ユニットに含まれているか、取付けられ、面状態データを無線送信するよう動作可能である。また、面４６の該無線通信回路は無線メッセージを受信可能である。従って、図６に示すように、面４６はアクセスポイント４２と無線８０２．１１ｂリンクを介して無線通信する。ベッド状態データパケットの取扱いに関する前述の説明は、面状態データパケットにも同様に適用できる。本開示では、ＷＣＭを備えている場合もない場合も面は、ベッド２２に有線接続を介して接続され、そしてベッド２２は、そのＷＣＭ３４０からベッド状態データとともに面状態データを無線送信するかもしれないことが想定されている。このような実施形態では、コンピュータ３８からの面制御メッセージはベッド２２によって受信され、次に該有線接続を介して該面に通信されてよい。
【００６７】
図７に概略示すように、本開示では、無線通信能力を有する面４６は、無線通信能力を有する関連するベッド２２上に支持されてもよい。このような場合、面４６とベッド２２は、図７に概略的に示したのと同じ無線アクセスポイント４２のうち１つ以上と通信してもよい。通常、このような無線通信は、一般的には異なる周波数及び／又は異なる時間に行われる。従って、ベッド２２の無線通信回路と面４６の無線通信回路は、互いに独立に動作し、ベッド２２はそのベッド状態データをコンピュータ３８に関連するネットワーク設備を介して送信し、面４６はその面状態データをコンピュータ３８に関連するネットワーク設備を介して送信する。
【００６８】
コンピュータ３８は、ベッド２２と面４６の動作のある部分を制御するために、コマンドまたは制御メッセージをネットワーク設備を介してベッド２２と面４６とに送信するよう動作可能である。言葉「コマンド」及び「制御」は、本開示において相互交換可能であり、それぞれ両方の広義の意味を有することを意図されている。従って、コンピュータ３８はベッド２２からベッド状態データを受信し、処理し、そのベッド状態データに基づいて制御メッセージを面４６に送信するよう動作可能である。例えば、ベッド２２からのベッド状態データが該ベッドのＣＰＲリリースハンドルが引かれたことを示している場合、面４６への制御メッセージは、「患者にＣＰＲを実施する準備において該面が最大膨張モードになり面４６の空気袋を硬くする」になっても、又は「患者にＣＰＲを実施する準備において患者が下のベッド部上に支持されるように面４６を完全に収縮する」になってもよい。
【００６９】
別の例として、ベッド２２からのベッド状態データが該ベッドのキャスターのブレーキが外れていることを示している場合、面４６へのコマンドメッセージは、「横回転治療、交互圧力治療、パーカッション治療等の治療はベッド２２を新しい場所に移動する準備において停止されるべきである」であってもよい。また、コンピュータ３８は面状態データを受信し、処理し、その面状態データに基づいて制御メッセージをベッド２２に送信するよう動作可能である。例えば、面状態データが横回転治療がアクティブであることを示している場合、ベッド２２への制御メッセージは、「横回転治療の間、頭部モータをロックしベッド２２の頭部が持上げられることを防止する」であってもよい。コンピュータ３８は面状態データを、ワークフロー・コンピュータシステム４０を含め、イーサネット３４及び／又はインターネット４４に結合された任意の他のコンピュータ装置に送信するよう構成されていてもよい。
【００７０】
図８を参照すると、ベッド２２の一実施形態（例として、米国ヒル‐ロム社のVersaCare（登録商標）ベッド）は、ベッド２２のベース枠４８にＷＣＭ３４０が装着されている。また、図８のベッド２２は、該ベッドのサイドレール５２の外方に面する側面上にアクセス可能に取付けられたユーザインターフェイス５０を有する。図８において、ユーザインターフェイス５０の拡大図が示され、様々な制御ボタンに関連する様々な記号がより容易に分かるようになっている。ベッド２２の関連する機能を制御するために押される様々な制御ボタンが、ユーザインターフェイス５０上に設けられている。これらのボタンは、次のものを含む。即ち、ベッド２２のマットレス支持台を関節曲げして椅子姿勢にする椅子ボタン５１、マットレス支持台をフラットにする「フラットにする」ボタン５２、マットレス支持台をトレンデレンブルグ体位に傾けるトレンデレンブルグ・ボタン５３、マットレス支持台を逆トレンデレンブルグ体位に傾ける逆トレンデレンブルグ・ボタン５４、マットレス支持台の頭部を上方に回動する頭アップ・ボタン５５、マットレス支持台の頭部を下方に回動する頭ダウン・ボタン５６、マットレス支持台の腿部を上方に回動する膝アップ・ボタン５７、マットレス支持台の腿部を下方に回動する膝ダウン・ボタン５８、マットレス支持台と該マットレス支持台が装着された上部枠とをベース枠４８に対して上方に持上げる持上げボタン５９、該マットレス支持台と上部枠とをベース枠４８に対して下方に下げる下げボタン６０、他のベッド機能ボタンの使用を可能にするために押されるキーボタン６１、マットレス支持台の足部を短くする足部引込めボタン６２、マットレス支持台の足部を長くする足部伸長ボタン６３、遠隔のナース呼出コンピュータにナース呼出を送信するナース呼出ボタン６４、他のボタンと同時に押され関連するベッド機能をロックまたはロックを外すロックボタン６５、該上部枠とマットレス支持台がベース枠４８に対して持上げ持下げされないようベッド２２のハイ／ロー・モータをロックするハイ／ロー・モータロックアウトボタン６６、マットレス支持台の頭部を持上げ持下げしないよう頭部アクチュエータをロックする頭モータロックアウト６７、及びマットレス支持台の腿部を持上げ持下げしないよう腿部アクチュエータをロックする腿モータロックアウト６８である。
【００７１】
図８に示すように、ベッド２２はベッドＩＤデータ７８が印刷されたラベル７６が付けられている。幾つかの実施形態では、ベッドＩＤデータ７８はベッド２２に割当てられたＭＡＣアドレスである。図８のベッド２２の追加の詳細は、米国特許第６，９５７，４６１号と米国特許出願公開第２００５／０１７２４０５Ａ１号に開示されている。この特許と出願を本明細書に援用する。
【００７２】
図８のベッド２２の無線通信能力に関連して、ユーザインターフェイス５０はインジケータ７１付きの許可ボタン７０と、インジケータ７３付きの維持管理ボタン７２と、オンライン・インジケータ７４とを有する。幾つかの実施形態では、インジケータ７１、７３、７４は発光ダイオード（ＬＥＤ）、例えば赤、緑、及び／又は琥珀色を発光するＬＥＤである。例えば、ベッド２２がネットワークの無線アクセスポイント４２と無線通信に成功している時は、インジケータ７４は緑色に発光し、無線通信をしていない時は、インジケータ７４は赤色に発光してもよい。無線通信が途絶えた後、ベッド２２がネットワーク２０との無線通信の再確立を試みている時は、インジケータ７４は黄色に発光してもよい。他の実施形態では、インジケータ７１、７３、７４のうち１つ以上は単色ＬＥＤにより構成される。
【００７３】
許可ボタン７０を連続して押した時、ベッド２２の介護警告テンプレートが許可され、停止される。維持管理ボタン７２を連続して押した時、維持管理が要求され、その要求がキャンセルされる。しかし、ボタン７０、７２を押すことが有効であるためには、キーボタン６１が押され所定の時間（例えば１秒）保持されなければならない。ボタン６１が該所定の時間押された後、ボタン７０、７２が別の所定の時間（例えば２０秒）内に押されると、ボタン７０、７２の特性の状態が変わる。ボタン６１、７０、７２のこの制御方式は、ボタン７０、７２を意図せずに押すことにより該特性の状態が変わるのを防ぐ。幾つかの実施形態では、ボタン７０のインジケータ７１は、ベッド２２の介護警告テンプレートが許可された時は、緑色に点灯し、ベッド２２の介護警告テンプレートが停止された時は、緑色に点滅し、ベッド２２に介護警告テンプレートが設定されていない時は、消灯する。幾つかの実施形態では、インジケータ７３は、ボタン７２が押され維持管理が要求された時、緑色に点灯し、維持管理が要求されないかキャンセルされた時、消灯する。維持管理要求はスタッフメンバーによる当該ベッド及び／又は部屋の掃除の前後に、キャンセルされてもよい。
【００７４】
本実施例では、ボタン７２にはモップ・バケツのアイコンが描かれている。このアイコンは、コンピュータ３８のワークフローソフトウェアアプリケーションに関連する１つ以上の表示画面に表示されるモップ・バケツのアイコンと同じであり、維持管理タスクが該医療施設のスタッフメンバーに割当てられたことを示す。このモップ・バケツアイコンは米国ヒル‐ロム社から販売されているNaviCare（登録商標）ソフトウェアにおいて使用されているのと同じタイプである。従って、ベッド２２が清掃を必要としている（例えば、リネン及び／又はベッドシートの交換、殺菌スプレーの噴霧、殺菌剤で拭く等）、又はベッド２２が在る部屋が清掃または次の患者のための準備を必要としていることを示すためにボタン７２が押されてよい。従って、本実施例では、ボタン７２が押されたことに応答してＷＣＭ３４０を介して無線で或いはＮＩＵ３６６への有線接続を介してベッド２２から送信されたベッド状態データは、コンピュータ３８のワークフローソフトウェアアプリケーションに宛てられた維持管理データを含む。
【００７５】
当該ベッド及び／又は部屋が清掃を必要としていることを示す該維持管理データのコンピュータ３８による受信の結果、コンピュータ３８のワークフローソフトウェアアプリケーションが自動的に維持管理タスクを選択されたスタッフメンバーに割当てる。次に、コンピュータ３８は該割当てたタスクを、モップ・バケツアイコンと割当てたスタッフメンバー名（又はＩＤ）とともに様々な表示画面上に表示する。割当てたスタッフメンバーがポケットベル又はVocera（登録商標）バッジ等の携帯無線通信装置を携帯している場合は、コンピュータ３８はベッド２２からの維持管理データの受信に応答して、無線メッセージをそのスタッフメンバーの携帯無線通信装置に送信してもよい。幾つかの実施形態では、上述したように、ボタン７２が押され維持管理データをシステム４０に送信した後、維持管理要求をキャンセルするために、又は維持管理タスクが完了したことを示すために、ボタン７２が再び押されてもよい。
【００７６】
図９を参照すると、ベッド２２の別の実施形態（例として、米国ヒル‐ロム社のTotalCare（登録商標）ベッド）は、そのベース枠８４上に許可インジケータ８０とオンライン状態インジケータ８２とを備える。許可ボタン（不図示）がベッド２２のサイドレール８６のうち１つ以上に設けられている。図８のベッド２２ではサイドレール５２にインジケータ７１、７４が装着されているが、図９のベッド２２ではインジケータ８０、８２がベース枠８４に装着されている以外は、インジケータ８０、８２はインジケータ７１、７４とほぼ同じである。従って、インジケータ７１、７４の上記説明はインジケータ８０、８２にも適用できる。随意に、図９のベッド２２は、上記ボタン７２と同様に機能し維持管理インジケータを持つ又は持たない維持管理ボタンをサイドレール８６上に備えてもよい。また、図９のベッド２２は、ベッドＩＤデータ７８が印刷されたラベル７６が付けられている。図９のラベル７６の例では、ベッドＩＤデータは数字データとバーコードとを含む。図９のラベル７６は図８のラベル７６とほぼ同じであり、同じ符号を使用する。幾つかの実施形態では、ベッドＩＤデータ７８は図９のベッド２２に割当てられたＭＡＣアドレスである。図９のベッド２２の追加の詳細は米国特許第５，７１５，５４８号に記載されている。この特許を本明細書に援用する。
【００７７】
図１０は、介護警告テンプレートの別の例（米国特許出願公開第２００６／００４９９３６Ａ１号に記載された介護警告テンプレートを参照）である「ベッド警告」テンプレート画面２２２のワンショットであり、コンピュータ３８の表示画面に表示され、介護者はベッド２２の様々な警告条件を選択することができる。画面２２２は、ベッド２２からコンピュータ３８が受信したベッド状態データに関連する構成可能な警告条件を持つ。画面２２２は、システム１１２が関連する警告条件を有するようにするために選択される様々なチェックボックスとラジオボタンを有し、また、データをタイプインするための様々なテキストボックスを有する。
【００７８】
画面２２２は、「左ヘッドレールは」チェックボックス２５８と「右ヘッドレールは」チェックボックス２６０とを有するヘッドレール部を含むベッドレールウィンドウ２５６を含む。また、該ウィンドウ２５６は「左フットレールは」チェックボックス２６２と「右フットレールは」チェックボックス２６４とを有するフットレール部を含む。各チェックボックス２５８、２６０、２６２、２６４の側に関連するアップ・ラジオボタン２６６とダウン・ラジオボタン２６８とが在る。また、該ウィンドウ２５６は「少なくとも１つのフットレールはアップ」チェックボックス２６３と「全てのサイドレールがアップ」チェックボックス２６５とを有する。従って、チェックボックス２５８、２６０、２６２、２６３、２６４、２６５を適切にチェックし、ラジオボタン２６６、２６８を適切に選択することにより、コンピュータ３８が受信したベッド状態データが示すように関連する条件を超えた時、コンピュータ３８は１人以上の割当てられた介護者に自動的に通知を送信する。
【００７９】
画面２２は、「ベッド退出に備える」チェックボックス２３２と「ベッド退出警報モード」チェックボックス２３４とを有するベッド退出ウィンドウ２３０を備える。また、該ウィンドウ２３６はベッド退出警報モードオプションのドロップダウンメニューを表示させるために選択されるメニュー矢印アイコン２３６を有する。画面２２２は、「ベッドは最低位置に留まる」チェックボックス２５０を含むベッド高さウィンドウ２４８と、「ベッドブレーキを掛ける」チェックボックス２５２を含むベッドブレーキウィンドウ２５１とを更に有する。該画面は、「圧力緩和モードを許可」チェックボックス２４０を含む「圧力緩和モード」ウィンドウ２３８を有する。従って、チェックボックス２３２、２３４、２４０、２５０、２５２を適切にチェックし、ボックス２３６（ボックス２３６はベッドの一部の実施形態でのみ使用される）にデータを適切に入力することにより、コンピュータ３８が受信したベッド状態データが示すように関連する条件を超えた時、コンピュータ３８は１人以上の割当てられた介護者に自動的に通知を送信する。
【００８０】
画面２２２は、「全てのモータロックはオン」チェックボックス２７２と、「ハイ・ローモータロックはオン」チェックボックス２７４と、「頭モータロックはオン」チェックボックス２７６と、「膝モータロックはオン」チェックボックス２７８とを含むモータロックウィンドウ２７０を有する。従って、チェックボックス２７２、２７４、２７６、２７８を適切にチェックすることにより、コンピュータ３８が受信したベッド状態データが示すように関連する条件を超えた時、コンピュータ３８は１人以上の割当てられた介護者に自動的に通知を送信する。
【００８１】
更に画面２２２は、「ＣＰＲモードが作動されたら通知する」チェックボックス２８２を含むＣＰＲモードウィンドウ２８０を有する。また、画面２２２は、「患者が椅子姿勢でアップしていれば通知する」チェックボックス２８４と、超える／未満テキストボックス２８６と、ドロップダウンメニュー矢印アイコン２９０を有する時間テキストボックス２８８とを含む椅子モードウィンドウ２８２を有する。画面２２２は、「ヘッド角が未満であれば通知する」チェックボックス２９４と、第１角テキストボックス２９６と、（ボックス２９４、２９６の間に句「度または超える」が在る）第２角テキストボックス２９８と、時間テキストボックス３００と、ドロップダウンメニュー矢印アイコン３０４を有する分テキストボックス３０２とを含むヘッド角ウィンドウ２９２を有する。最後に、画面２２２は、「について警告を送信する」チェックボックス３０８と、時計時間ボックス３１２と、分ボックス３１４と、時間間隔ボックス３１６とを含む患者警告ウィンドウ３０６を有する。従って、チェックボックス２８２、２８４、２９４、３０８を適切にチェックし、ボックス２８６、２８８、２９６、２９８、３００、３０２、３１０、３１２、３１４、３１６にデータを適切に入力することにより、関連する条件が満たされた適切な時に、コンピュータ３８は１人以上の割当てられた介護者に自動的に警告を送信する。
【００８２】
画面２２２の上部を横切って、関連する介護警告テンプレートを見るために選択可能なタブ群が配置されている。例えば、図１０のベッド警告は、ベッド警告タブ３１８が選択された時、表示される。本実施例において、治療警告タブ３２０も画面２２２に表示される。治療警告タブ３２０を選択すると治療警告画面１００が図１１に示すようにコンピュータ３８のディスプレー上に表示される。該画面１００は、時間テキストボックス１０６の近くの通知チェックボックス１０４と、分テキストボックス１０８とを含むパーカッション治療ウィンドウ１０２を有する。句「最近のパーカッションの終了後」が該ボックス１０８の右に表示される。また、該ウィンドウ１０２は、時間テキストボックス１１２の近くの通知チェックボックス１１０と、分テキストボックス１１４と、前／後テキストボックス１１６とを含む。従って、チェックボックス１０４、１１０を適切にチェックし、ボックス１０６、１０８、１１２、１１４、１１６にデータを適切に入力することにより、パーカッション治療面の最近のパーカッションの終了から所定期間後、コンピュータ３８は１人以上の割当てられた介護者に自動的に通知を送信し、及び／又はパーカッション治療が所定時間内に終了する又は所定時間前に終了したことを１人以上の割当てられた介護者に通知する。
【００８３】
また、該画面１００は、時間テキストボックス１２２の近くの通知チェックボックス１２０と分テキストボックス１２４とを含むバイブレーション治療ウィンドウ１１８を有する。句「最近のバイブレーションの終了後」が該ボックス１２４の右に表示される。また、該ウィンドウ１１８は、時間テキストボックス１２８の近くの通知チェックボックス１２６と、分テキストボックス１３０と、前／後テキストボックス１３２とを含む。句「バイブレーションの終了」が該ボックス１３２の右に表示される。従って、チェックボックス１２０、１２６を適切にチェックし、ボックス１２２、１２４、１２８、１３０、１３２にデータを適切に入力することにより、バイブレーション治療面の最近のバイブレーションの終了から所定時間後、コンピュータ３８は１人以上の割当てられた介護者に自動的に通知を送信し、及び／又はバイブレーション治療が所定時間内に終了する又は所定時間前に終了したことを１人以上の割当てられた介護者に通知する。
【００８４】
更に、該画面１００は、時間テキストボックス１３８の近くの通知チェックボックス１３６と、分テキストボックス１４０と、前／後テキストボックス１４２とを含む回転治療ウィンドウ１３４を有する。句「回転の終了」が該ボックス１４２の右に表示される。従って、チェックボックス１３６をチェックし、ボックス１３８、１４０、１４２にデータを適切に入力することにより、コンピュータ３８は回転治療が所定時間内に終了する又は所定時間前に終了したことを１人以上の割当てられた介護者に自動的に通知する。該ウィンドウ１３４は「該システムによって回転治療が停止されたら通知する」チェックボックス１４４を有する。該ボックス１４４がチェックされると、回転治療が停止する場合、例えばベッド２２のサイドレールが回転治療中に下げられ回転治療が停止する場合、コンピュータ３８は介護者に自動的に通知する。
【００８５】
また、該画面１００は、時間テキストボックス１５０の近くの通知チェックボックス１４８と分テキストボックス１５２とを含む「患者を寝返りさせる催促」ウィンドウ１４６を有する。句「寝返り介助の終了後」が該ボックス１５２の右に表示される。従って、チェックボックス１４８をチェックし、ボックス１５０、１５２にデータを適切に入力することにより、コンピュータ３８は寝返り介助が所定時間前に終了したことを１人以上の割当てられた介護者に自動的に通知する。該ウィンドウ１４６はリセットタイマーチェックボックス１５４を有する。もしボックス１５４がチェックされると、コンピュータ３８は自動的に、ボックス１５０、１５２に入力された所定時間の始まりにタイマーをリセットする。該画面１００は、「FlexAFootを作動する」チェックボックス１５８を含むFlexAFootモードウィンドウ１５６を有する。FlexAFootは、ベッド２２の足部を伸長・引込めを許可するベッドの特性である。従って、該ボックス１５８をチェックする時、ベッド２２は足部の伸長・引込めを許可するモードになければならない（例えば、足部の伸長・引込めがロックアウトされていてはいけない）。画面１００のテキストボックスのうち幾つかは、選択された時、分メニュー（００〜６０のリスト）又は前／後メニュー等の適切なメニューが画面１００上に表示されるドロップダウンメニュー矢印アイコン１６０を有する。
【００８６】
上述のように、画面１００、２２２上で選択された警告条件、催促条件、及び通知条件（以後、集合的に「警告条件」と呼ぶ）のうちどれかが満たされると、コンピュータ３８は１人以上の割当てられた介護者にメッセージを送信する。本開示によれば、このような警告条件に関するメッセージは、該１人以上の介護者が携帯する携帯無線通信装置に無線送信される。コンピュータ３８がベッド２２及び／又は面４６から受信したデータが画面１００、２２２の介護警告テンプレート上で選択された警告条件のうち１つ以上に一致したことに応答して開始される無線通信のタイプの例を次に示す。ポケットベルの呼出し（警告条件と病室番号を示すテキストメッセージあり又はなし）、選択された予めプログラムされた音声メッセージを音声通信バッジ（例えば、Vocera（登録商標）バッジ）又はハンドセット（例えば、Spectralink（登録商標）又はAscom（登録商標）ハンドセット）を携帯する介護者に送信すること、テキストメッセージを音声通信バッジ、ハンドセット、又は他のテキストメッセージ機能を持つ無線通信装置（ＰＤＡ、携帯電話等）に送信すること、及び予めプログラムされた音声メッセージを割当てられた介護者が居るとコンピュータ３８の位置特定追跡ソフトウェアが判断した場所にある音声ステーションに送信することである。
【００８７】
上記説明に基づいて、警告条件が発生した時、コンピュータ３８は１人以上の介護者に該警告条件を呼出し及び／又はテキストメッセージ及び／又は音声メッセージを介して自動的に通知するよう動作する。従って、例えば、マスターナース・ステーションにいる介護者は、割当てられた介護者に警告条件を通知するために更に何かアクションをする必要がない。コンピュータ３８のデータベースは各介護者が携帯する無線通信装置の種類についての情報を格納し、介護者が携帯する無線通信装置の種類に基づいて適切なタイプの無線通信を開始するよう動作する。
【００８８】
本開示によれば、ベッド２２群のうちいずれかがネットワーク２０に接続されると、コンピュータ３８は該ベッド２２からそのメモリーに記憶されたファームウェアのバージョンを示すコンフィグレーションデータを受信する。コンピュータ３８は様々なベッドモデル用のベッドファームウェアの最新のバージョンを格納している。これらのベッドファームウェアは、ベッド製造者からインターネットを介してコンピュータ３８に送信されるか、又はコンピュータ３８にその設置場所でインストールされる。コンピュータ３８は該コンフィグレーションデータが示すファームウェアバージョンとコンピュータ３８に格納されている最新のバージョンとを比較し、該ベッド２２にファームウェアの最新バージョンがインストールされていない場合は、コンピュータ３８はファームウェアの最新バージョンをベッド２２に自動的にダウンロードする。図１２〜図１６はこのプロセスを説明するステート図とフローチャートを示す。ベッドプログラムの書換えの追加の詳細は、上述の米国仮特許出願第６０／７７３，２８６号に添付された付録５に記載されている。
【００８９】
ベッド２２のファームウェア・ダウンロード・アルゴリズムのステート図５００は、図１２に示すエンターポイント５０２、オフラインモード５０４、リンクモード５０６、セーフモード５０８、オンラインモード５１０、及びブートロードモード５１２を含む。エンターポイント５０２は該アルゴリズムがオフラインモード５０４から開始することを示す。オフラインモード５０４から、ベッド２２がＩＰアドレスを持つ場合、リンクモード５０６に進み、ベッド２２がＩＰアドレスを持っていない場合、セーフモード５０８に進む。リンクモード５０６から、ベッド２２がサーバ３８と通信できない場合、セーフモード５０８に進み、ベッド２２がサーバ３８と通信できる場合、オンラインモード５１０に進む。セーフモード５０８から、致命的なエラーが検出された場合、オフラインモード５０４に進み、致命的なエラーが検出されなかった場合、リンクモード５０６に進む。オンラインモード５１０から、ベッド２２のファームウェアの書換えが必要な場合、ブートロードモード５１２に進み、ベッド２２がＩＰアドレスを持つ必要がある場合、リンクモード５０６に進み、或いはベッド２２がリセットコマンドを受信した場合、リンクモード５０６に進み、エラーが検出された場合、セーフモード５０８に進む。ブートロードモード５１２から、ベッド２２が新しいファームウェアのダウンロードに成功した場合、オフラインモード５０４に進み、ベッドプログラミングエラーが検出された場合、セーフモード５０８に進み、或いはファームウェアの破損が検出された場合、オンラインモード５１０に進む。
【００９０】
図１３を参照すると、ブロック５１４に示すように、ＮＩＵ３６６がパワーオンするか又はステートマシンリセットが受信された場合、アルゴリズムはオフラインモード５０４に進む。オフラインモード５０４において、ブロック５１６に示すようにベッド２２はデフォールトスタートアップが発生したか否かを判断する。もしデフォールトスタートアップが発生した場合、ブロック５１８に示すようにベッド２２はデフォールトパラメータを使用して通信し、リンクモード５０６に進む。もしデフォールトスタートアップが発生しなかった場合、ブロック５２０に示すようにベッド２２は静的ＩＰアドレスが存在するか否かを判断する。静的ＩＰアドレスが存在する場合、リンクモード５０６に進む。静的ＩＰアドレスが存在しない場合、ブロック５２２に示すようにベッド２２は自身及び／又はサーバ３８のＩＰアドレスを得るためにＤＨＣＰコンフィグレーションを試みる。ブロック５２４において、ベッド２２はブロック５２２の試みが成功したか否かを判断する。試みが成功しなかった場合、ブロック５２６に示すようにセーフモード５０８に進む。試みが成功した場合、リンクモード５０６に進む。ベッド２２がプラグインされＮＩＵがオフラインでなければ、リンクモード５０６に入る。
【００９１】
図１３において、リンクモード５０６に入った後、ブロック５２８に示すようにベッド２２は新しいエンドポイントメッセージを送信し、要求コンフィグレーションメッセージを受信し、ファイル処理メッセージを送信し、ファイル処理済みメッセージを受信し、入力マスクと初期データメッセージを送信する。ブロック５３０において、ベッド２２は上記全てのメッセージの送信又は受信が成功したか否かを判断する。ブロック５２８の全てのメッセージの送信又は受信が成功したのでない場合、ブロック５３２に示すようにセーフモード５０８に進む。ブロック５２８の全てのメッセージの送信又は受信が成功した場合、ベッド２２は、ブロック５３４に示すようにハートビートメッセージを送信し、オンラインモード５１０に進む。本開示によれば、ベッド２２が送信するハートビートメッセージのフォーマットは、フォーマット“著作権（C）Bed Manufacturer Year”（例えば、著作権（C）Hill-Rom 2006）である。
【００９２】
図１３のブロック５２６又はブロック５３２においてベッド２２がセーフモード５０８に入ると、図１４のブロック５３６に示すようにベッド２２はランダムに決めた５〜１０秒の間、アルゴリズムの更なる実行を遅らせ、図１４のブロック５３８に示すように致命的なエラーが発生したか否かを判断する。致命的なエラーが発生していない場合、ブロック５４０に示すようにリンクモード５０６に進む。もし致命的なエラーが発生した場合、ブロック５４２に示すようにオフラインモード５０４に進む。
【００９３】
図１３のブロック５３４からベッド２２がオンラインモード５１０に入ると、図１５のブロック５４４に示すようにベッド２２は新しいＩＰアドレスを得る必要があるか否かを判断する。新しいＩＰアドレスを得る必要がある場合、ブロック５４６に示すようにベッド２２は新しいＩＰアドレスを得るためにネットワーク２０と通信し、ブロック５４８に示すようにオフラインモード５０４に進む。新しいＩＰアドレスを得る必要がない場合、ブロック５５０に示すようにベッド２２はブートロードコマンドを受信したか否かを判断する。ブロック５５０においてブートロードコマンドを受信していない場合、ブロック５５２に示すようにベッド２２はリセットコマンドを受信したか否かを判断する。ブロック５５２においてリセットコマンドを受信していない場合、ブロック５５４に示すようにベッド２２は他のタイプのメッセージを処理し、ブロック５４４に戻る。ブロック５５２においてリセットコマンドを受信していた場合、ブロック５５６に示すようにリンクモード５０６に進む。ブロック５５０においてブートロードコマンドを受信していた場合、ブロック５５８に示すようにブートロードモード５１２に進む。
【００９４】
図１６を参照すると、ベッド２２はブートロードモード５１２に入った後、ブロック５６０に示すようにベッド２２は安全状態に入り、ブロック５６２においてサーバ３８からファームウェアをダウンロードし、ブロック５６４においてそのファームウェアを検証する。次に、ブロック５６６においてベッド２２は該ファームウェアが正しいか否かを判断する。もしファームウェアが正しくない場合、ブロック５６８においてベッド２２はファームウェアが正しいかの判断の４回目の試みが行われたかを判断する。ファームウェアが正しいかの判断の試みが４回目でなければ、ベッド２２はブロック５６２に戻り、ブロック５６２、５６４、５６６のステップを再度実行する。ファームウェアが正しいかの判断の試みが４回目であれば、ブロック５７０においてベッド２２はサーバ３８にエラーメッセージを送信し、ブロック５７２に示すようにオンラインモード５１０に進む。
【００９５】
ベッド２２はブロック５６６においてファームウェアが正しいと判断した場合、ブロック５７４においてベッド２２はそのファームウェアをフラッシュメモリーに書き込み、ブロック５７６においてフラッシュメモリーへの新しいファームウェアの書き込みが成功したか否かを判断する。フラッシュメモリーへの書き込みが成功しなかった場合、ブロック５７８においてベッド２２はフラッシュメモリーへの書き込みの４回目の試みが行われたかを判断する。フラッシュメモリーへの書き込みの試みが４回目でなければ、ベッド２２はブロック５７４に戻り、フラッシュメモリーへの該新しいファームウェアの書き込みを再度試みる。ブロック５７８においてフラッシュメモリーへの書き込み試みが４回目であれば、ブロック５８０においてベッド２２はサーバ３８に致命的エラーメッセージを送信し、ブロック５８２に示すようにセーフモード５０８に進む。ブロック５７６においてフラッシュメモリーへの書き込みが成功した場合、ブロック５８４においてベッド２２はファームウェアダウンロード済みメッセージを送信し、ブロック５８６においてベッド２２はサーバ３８からリセットコマンドを受信したか否かを判断する。ブロック５８６においてベッド２２は連続ループ内でリセットコマンドをサーバ３８から受信するまで待つ。リセットコマンドを受信すると、ブロック５８８に示すようにオフラインモード５０４に進む。
【００９６】
上記において幾つかの実施形態を詳細に説明したが、上記で説明され添付の請求項により定義された本発明の思想と範囲内に入る変形物及び改良物が存在する。
【図面の簡単な説明】
【００９７】
【図１】ベッド通信回路と、該ベッド通信回路に結合され病院ネットワークと有線及び／又は無線インターフェイスを介して通信するよう構成された有線／無線ネットワークインターフェイス・ユニットとを有する病院ベッドのブロック図である。
【図２】図１に類似のブロック図であり、該ベッドの回路に一体化された有線／無線ネットワークインターフェイス・ユニットを示す。
【図３】ベッド、ナース呼出システム、及び病院イーサネットに結合するための結合器を有するネットワークインターフェイス・ユニットのブロック図である。
【図４】該ネットワークインターフェイス・ユニットと病院イーサネットとを介してナース呼出システムに結合された病院ベッドを示すブロック図である。
【図５】該ネットワークインターフェイス・ユニットに結合され病院イーサネットと無線通信する病院ベッドを示すブロック図である。
【図６】病院ベッドと面とロケータとから病院イーサネットとインターネットと１つ以上のナース呼出サーバ及び／又はコンピュータとへの多数の通信路を示すブロック図である。
【図７】同じ無線アクセスポイントと無線通信する病院ベッド及び面と、ネットワークインターフェイス・ユニットと通信する病院ベッドと、同じイーサネットスイッチと通信する無線アクセスポイント及びネットワークインターフェイス・ユニットとを示すブロック図である。
【図８】病院ベッドの一実施形態の斜視図であり、無線通信が許可されているか、無線通信がオンラインか、ハウスキーパーがベッド及び／又は病室を清掃するために呼び出されているかを示すＬＥＤを含むユーザインターフェイスの拡大図とベッドＩＤデータが印刷されたラベルの拡大図とを含む。
【図９Ａ】病院ベッドの別の実施形態の斜視図であり、無線通信が許可されているか、無線通信がオンラインかを示すベース枠上のインジケータＬＥＤを示す拡大図を含む。
【図９Ｂ】病院ベッドの別の実施形態の斜視図であり、ベッドＩＤデータとバーコードが印刷されたラベルを示す拡大図を含む。
【図１０】ナース呼出ステーションのコンピュータの表示画面に表示されたベッド警告テンプレートのワンショットであり、様々なチェックボックス、テキストボックス、及び介護者に警告が通知される警告パラメータの選択のためのドロップダウンメニューを示す。
【図１１】ナース呼出ステーションのコンピュータの表示画面に表示された治療警告テンプレートのワンショットであり、様々なチェックボックス、テキストボックス、及び介護者に警告が通知される警告パラメータの選択のためのドロップダウンメニューを示す。
【図１２】オフラインモード、リンクモード、セーフモード、ブートロードモード、及びオンラインモード間の相互接続を示すステートマシン遷移図である。
【図１３】図１２のステートマシン遷移図に係る無線病院ベッドのソフトウェアアルゴリズムを示すフローチャートのパート１である。
【図１４】図１２のステートマシン遷移図に係る無線病院ベッドのソフトウェアアルゴリズムを示すフローチャートのパート２である。
【図１５】図１２のステートマシン遷移図に係る無線病院ベッドのソフトウェアアルゴリズムを示すフローチャートのパート３である。
【図１６】図１２のステートマシン遷移図に係る無線病院ベッドのソフトウェアアルゴリズムを示すフローチャートのパート４である。
【符号の説明】
【００９８】
２２、３４２、３６２、３６４  病院ベッド
４６  面（マットレス）
３４０、３６０  無線通信回路
【図１】
0005363706.tif 000005
【図２】
0005363706.tif 000006
【図３】
0005363706.tif 000007
【図４】
0005363706.tif 000008
【図５】
0005363706.tif 000009
【図６】
0005363706.tif 000010
【図７】
0005363706.tif 000011
【図８】
0005363706.tif 000012
【図９Ａ】
0005363706.tif 000013
【図９Ｂ】
0005363706.tif 000014
【図１０】
0005363706.tif 000015
【図１１】
0005363706.tif 000016
【図１２】
0005363706.tif 000017
【図１３】
0005363706.tif 000018
【図１４】
0005363706.tif 000019
【図１５】
0005363706.tif 000020
【図１６】
0005363706.tif 000021